(57)【要約】  装置が、射出筒と、該射出筒内の締結具を駆動するための手段（３、５）と、締結具を供給するための着脱自在のマガジン（４）を受承するための手段（２５、３３）を含んだハンドル（９）とを具備し、該装置の前方部分（３）は、マガジン（４）の供給端（５５）と協働し、該マガジン（４）から射出筒（１）内への移送を確実にするようになっており、ハンドル（９）の射出筒から離反した先端部分（３３）は、マガジン（４）の他方の装填端（５４）が該ハンドルの先端部分に固定されるようになっている。ハンドル（９）の先端部分（３３）に、マガジン（４）の装填端（５４）を固定するための棒部材（４７）が設けられており、該棒部材（４７）は、揺動して、ハンドルの先端部分（３３）とマガジンの装填端（５４）との相対位置が変化するように装着されいる。本発明によれば、全ての寸法許容誤差が補償される。
2008501537.tif 000002
【特許請求の範囲】
【請求項１】
締結具を固定するための装置であって、射出筒（１）と、該射出筒（１）内の締結具を駆動するための手段（３、５）とを具備し、ハンドル（９）が締結具を供給するための着脱自在のマガジン（４）を受承するための手段（２５、３３）を含み、該装置の前方部分（３）は、前記マガジン（４）の供給端（５５）と協働し、該マガジン（４）から前記射出筒（１）内への移送を確実にするようになっており、前記ハンドル（９）の前記射出筒から離反した先端部分（３３）は、前記マガジン（４）の他方の装填端（５４）が該ハンドルの先端部分に固定されるように構成されている締結具を固定する装置において、前記ハンドル（９）の前記先端部分（３３）に、前記マガジン（４）の前記装填端（５４）を固定するための棒部材（４７）が設けられており、該棒部材（４７）は、揺動（４３）して、前記ハンドルの先端部分（３３）と前記マガジンの装填端（５４）との相対位置が変化するように取付けられていることを特徴とした締結具を固定するための装置。
【請求項２】
前記固定棒部材（４７）が、戻り手段（６０）の作用に対抗して揺動するようになっている請求項１に記載の装置。
【請求項３】
前記固定棒部材（４７）が円筒状に形成され、その中心軸線（４７）上の一点を中心として揺動自在に取付けられている請求項２に記載の装置。
【請求項４】
前記固定棒部材が、該装置のハンドル（９）に装着された球面継手（４３）に嵌合している請求項１〜３の何れか１項に記載の装置。
【請求項５】
前記球面継手（４３）が、弾性の戻りスリーブ（６０）内に取付けられている請求項４に記載の装置。
【請求項６】
前記固定棒部材（４７）はネジが形成された端部（４９）を含んでおり、前記マガジン（４）を締付けるためのつまみホイール（５０）が前記ネジの形成された端部に取付けられている請求項１〜５の何れか１項に記載の装置。
【請求項７】
前記固定棒部材（４７）が、前記マガジンに当接して前記ハンドルに対して前記マガジンを締付けるようにしたヘッド（４８）を具備する請求項１〜６の何れか１項に記載の装置。
【請求項８】
前記ハンドル（９）の先端部分（３３）が傾斜面（６２）を具備し、該傾斜面は、前記マガジン（４）に設けられた他の傾斜面（６３）と協働し、楔として作用して、前記マガジン（４）を該装置の前方へ向けて移動させ、該マガジンの供給端（５５）が該装置の射出筒（１）に押圧されるようにした請求項１〜７の何れか１項に記載の装置。
【請求項９】
前記球面継手（４３）が、２つの管状部分（４５、４６）として延長されて、円錐開口部（３９、４０）を通して前記ハンドルから突出している請求項４に記載の装置。
【請求項１０】
前記固定棒部材（４７）が、前記継手（４３）に形成された穴（４４）内および該継手の管状延長部（４５、４６）内に延設されている請求項９に記載の装置。
【請求項１１】
前記継手（４３）の一方の管状延長部（４６）が前記マガジン（４）へ向けて延びており、かつ、傾斜面（６２）を有し、該傾斜面は、前記マガジン（４）に設けられた他の傾斜面（６３）と協働し、楔として作用して、前記マガジン（４）を該装置の前方（３）へ向けて移動させ、該マガジンの供給端（５５）が該装置の射出筒（１）に押圧されるようにした請求項９または１０に記載の装置。
【請求項１２】
前記固定棒部材（４７）はネジが形成された端部（４９）を有し、該端部に前記マガジン（４）を締付け、押圧するためのつまみホイール（５０）が装着される請求項１１に記載の装置。
【請求項１３】
前記締付け、押圧するためのつまみホイール（５０）は、前記継手（４３）の管状延長部の一方の延長部（４５）上に嵌合する請求項１２に記載の装置。
【請求項１４】
内燃モータのケーシング（５）が、前記ハンドル（９）内に装着され、かつ、後方部（１０〜１３）において該マガジンに固定されるように設けられており、前記ケーシング（５）の前方部分（５１）は浮動するように前記ハンドル（９）に装着され、締結具を駆動する軸線沿いに摺動するようになっている請求項１〜１３の何れか１項に記載の装置。
【請求項１５】
請求項１〜１４の何れか１項に記載の装置用の締結具を供給するための着脱自在の供給マガジンにおいて、前記固定棒部材（４７）を受容するための手段（５３、５７、５２、５８）と、該固定棒部材のヘッド（４８）のための支持部を提供するための手段（５８、５９）とを具備することを特徴とした供給マガジン。
【請求項１６】
傾斜面（６３）を提供するように形成された構造（５２）を具備し、該傾斜面は、前記装置のハンドルに設けられた傾斜面（６３）と協働し、楔として作用して、前記マガジン（４）を該装置の前方（３）へ向けて移動させ、該マガジンの供給端（５５）が該装置の射出筒（１）に押圧されるようにした請求項１５に記載の供給マガジン。
【発明の詳細な説明】
【技術分野】
【０００１】
本発明は固定装置、特に、ガスまたは内燃モータを用いた装置の分野に関する。この装置は、締結具を駆動するためのピストンを推進するために、（シリンダ、シリンダ胴およびシリンダヘッドにより部分的に形成される）モータの燃焼室内でのガスと空気との可燃性混合気の爆発の原理を用いている。
【背景技術】
【０００２】
前記モータはケーシング内に装着されている。
ケーシングは、ハンドルの２つの外殻内に装着され、その前方部分と後方部分にハンドルが装着されている。該ハンドルは、電源を提供する電池を保持するためのハウジングと、締結具のための着脱自在の供給マガジンを装着するための手段が設けられている。より正確には、前記後部に、同一の複数のボルトを用いてモータのシリンダヘッド、ケーシングおよびハンドルの外殻が共に装着される。
【０００３】
燃焼室内の可燃性混合気が加圧されると、後部へ向かう力がシリンダヘッドに、従って、該シリンダヘッドに連結されたケーシングに作用する。
【０００４】
従来、膨張作用のもとでピストンは前方へ推進され、該ピストンは、シリンダに連結されたダンパーに衝当、停止する。前方への力は、次いで、シリンダおよび該シリンダに連結されているケーシングに作用する。
【０００５】
簡単に説明すると、一般的にプラスチックから形成されているケーシングは、高度の圧力ストレス、全ストレスの６０％までのストレスを受ける。
【０００６】
ガス作動式の固定装置のケーシングは、僅かに延びるので、既に柔軟なダンパーとして作用している。
出願人は、ケーシングは変形し易い部位、例えば装置の前方部分で変形していることに気付いた。
【発明の開示】
【発明が解決しようとする課題】
【０００７】
従って、マガジンは装置のノーズ部または射出端ブッシュ(muzzle-bushing)にしっかりと固定し、締結具の適正な供給が維持されるようにしなければならない。然しながら、（ケーシングの前方部分の動作によって）装置の前方部分が他の部分に対して移動すると、マガジンの装填端（または入力端）がハンドルにしっかりと固定された状態で、締結具マガジンの供給端（または出力端）が前記前方部分と共に移動し、装置の射出端ブッシュへの締結具の供給が正しくなされなくなる。
【０００８】
これが、出願人が本発明を提案する理由である。他にも少なくとも１つの理由がある。
ガス動力式固定装置では、極めて多数の長尺部品がある。製造誤差に合致しても、許容可能な個々の寸法誤差の累積によって、組立上の困難な問題を生じたり、或いは、組立後における動作上の問題を生じたりする。出願人は、従って、関連する寸法を確実に補償することを追及した。
【０００９】
本発明は、ガス動力式固定装置の問題から想到したが、粉体式装置や空圧式装置によって駆動される装置のような他のタイプの装置に本発明を拡張しない理由はない。
【課題を解決するための手段】
【００１０】
従って、本発明は、先ず、締結具を固定するための装置において、射出筒と、該射出筒内の締結具を駆動するための手段とを具備し、ハンドルが締結具を供給するための着脱自在のマガジンを受承するための手段を含み、該装置の前方部分は、前記マガジンの供給端と協働し、該マガジンから前記射出筒内への移送を確実にするようになっており、前記ハンドルの前記射出筒から離反した先端部分は、前記マガジンの他方の装填端が該射出筒に固定されるようになっており、該装置は、前記ハンドルの前記先端部分に、前記マガジンの前記装填端を固定するための棒部材が設けられており、該棒部材は、揺動して、前記ハンドルの先端部分と前記マガジンの装填端との相対位置が変化するように取付けられていることを特徴とする。
【００１１】
従って、装置の前方部分が移動しても、該先端部分はマガジンの供給端を支持することができる。と言うのは、前記ハンドルの先端部分が、マガジンの他方の端部（装填端）を支持可能であるからである。更に、マガジンの装填端が装置のハンドル上で移動可能であることは、組立体の寸法補償がなされることを意味している。
【００１２】
棒部材は、好ましくは、戻り手段の作用に対抗して揺動するように取付けられている。
ハンドル先端部分上のマガジン固定棒部材を円筒状に形成し、その中心軸線上の一点を中心として揺動するように取付けることは有利である。
【００１３】
前記固定棒部材は、好ましくは、該装置のハンドルに装着された球面継手に取付けられる。
この場合、前記球面継手はが、弾性の戻りスリーブ内に取付けられる。
【００１４】
前記固定棒部材にはネジを形成することができ、該ネジを形成した端部に、マガジンを締付けるためのつまみホイールを、好ましくは、前記棒部材に取付けたヘッドを介して取付け、該ヘッドが前記マガジンに当接して前記ハンドルに対して前記マガジンを締付けるようにできる。
【００１５】
本発明の装置の構成の好ましい形態では、前記ハンドルの先端部分が傾斜面を具備し、該傾斜面は、前記マガジンに設けられた他の傾斜面と協働し、楔として作用して、前記マガジンを該装置の前方へ向けて移動させ、該マガジンの供給端が該装置の射出筒に配置されるようになっている。
【００１６】
固定棒部材が上記傾斜面の双方を横断し、かつ、締付けつまみホイールを有している場合には、このつまみホイールは、また、押圧機能をなす。
【００１７】
本発明は、また、本発明の装置用の締結具のための着脱自在の供給マガジンを含み、該マガジンは、前記固定棒部材のヘッドのための支持部として作用する手段を備え該固定棒部材を受容するための手段と、傾斜面を提供するように形成された構造を具備し、該傾斜面は、前記装置のハンドルに設けられた傾斜面と協働し、楔として作用して、前記マガジンを該装置の前方へ向けて移動させ、該マガジンの供給端が該装置の射出筒に押圧されるようにしたことを特徴とする。
【００１８】
添付図面を参照して説明する以下の記載から本発明は一層理解されよう。
以下、好ましい形態である内燃モータ形態について固定装置を説明するが、この形態によって、本発明が限定されることは全くない。
【００１９】
固定装置は、装置内に設けられた射出筒１内の締結具を軸線２に沿って該装置のノーズ部または射出端ブッシュ３を通して駆動するようにした周知の内燃モータを有している。前記ノーズ部または射出端ブッシュ内に射出筒は延設され、該射出筒１内に締結具が供給マガジン４から予め移送されている。
【００２０】
装置の駆動モータはケーシング内に装着されており、該ケーシングの後方部分は、換気ブロック６およびハンドル９の２つの外殻７、８により閉じられている。
４つの固定ボルト１０〜１３によって、ケーシング５の後方部分１４、ブロック６およびハンドルの外殻７、８が共に固定される。
【００２１】
ハンドルの外殻の各々は、ケーシングの側面１７（１８）に押圧されるように形成され、穴を有したフレーム部１５（１６）と、後方部に設けられた半割クランプ部１９（２０）とを含んでいる。２つの半割クランプ部を舌片と溝とによって連結して固定スリーブ２１を形成することによって、ケーシング５の後方の閉蓋部が完成する。ハンドルの各外殻は、ハンドルそれ自体の構成要素２２（２３）によって後方に突出し、また、電源電池を収容するための構造２４および締結具マガジン４のための支持構造２５によって前方に突出している。
【００２２】
こうして、モータは、ハンドル９の２つの外殻７、８によって形成される組立体内に取付けられたケーシング５内に装着され、該ケーシングは、後部においてボルト１０によって前記外殻に固定される。
【００２３】
外殻のフランジ部１５、１６においてハンドル２２、２３の近傍の底部の内面２６には、同じ側壁から突出した、長円状の小さな環状のチャンネル部、後方部に１つのチャンネル部２７、前方部に１つのチャンネル部２８が設けられている。図３には、左側のフランジ部１６の内面およびチャンネル部のみが示されている。上述したように、該固定装置は、中心線２を通過する対称面を有している。
【００２４】
ケーシング５の側壁１７、１８は、チャンネル部１７、１８に対応した位置（従って、先方部および後方部の底部）に、同じ側壁から突出した、小さな環状のチャンネル部２９、３０が設けられている。該チャンネル部もまた長円状の断面を有し、外殻のフランジ部１５、１６のチャンネル部２９、３０と共にほぞとほぞ穴のように作用する。図３には、ケーシング５の側壁１７のチャンネル部２９、３０のみが図示されている。事実上に同じ内外形を有した後方のほぞとほぞ穴２９、２７は、一方が他方の内側に完全に嵌合しなければならない。これに対して、前方のほぞとほぞ穴３０、２８は、横断方向に一方が他方の内側に僅かに嵌合し、中心線２０に平行な方向には嵌合しないようになっていなければならない。つまり、ケーシング５の前方部分５１のほぞ３０の軸方向の外側長さは、ほぞ穴２８の軸方向の内側長さよりもかなり短くなっており、ほぞ穴の中でほぞが軸方向に摺動可能となっている。
【００２５】
ほぞとほぞ穴の各構成は反対にしてもよく、ほぞがハンドルの外殻から突出していてもよいことは言うまでもない。全ての例において、前方のほぞは前方のほぞ穴よりも短くなっている。
【００２６】
前方のほぞ穴チャンネル２８の前側の弧状壁３１と後側の弧状壁３２は、ケーシングの前側のほぞ３０のための前方停止部および後方停止部として作用する。
【００２７】
こうして、ケーシング５の前方部分５１は、浮動するようにハンドル７〜９に嵌合しており、締結具の駆動軸２に沿って摺動可能となっている。
【００２８】
これが、ハンドル９の先端部分およびマガジン４の先端部分の特定の構成のための１つの理由であり、そしてそれは、注意書きの後に以下に説明するが、装置の組立寸法の補償もまたこうした構成の原点にある。
【００２９】
該装置の射出筒１およびノーズ部３から離れた装置のハンドル９の先端部分において、ボルト３４、３５によって接合された外殻２２、２３は、内部に球状ハウジング３６を形成するようになっており、球面の一方の部分が外殻２２に、そして球面の他方の部分が外殻２３に形成されている。
【００３０】
球状ハウジング３６は、２つの円錐開口部３９、４０を通じて、外殻２２、２３の外面３７、３８に開口している。その有用性については直ぐに明らかとなろう。球状ハウジング３６は、ハンドルの外殻の表面３７、３８に垂直に該ハウジングの球面の中心を通る中心軸線４２に沿う管状の中空部４１を通して延長されている。その軸方向長さは、ハウジング３６の直径よりも小さく、適切な例では、この直径の１／３〜１／４となっている。また、その直径は、ハウジング３６の球面の直径よりも僅かに大きく、適切な例では、約１／４大きくなっている。
【００３１】
ハウジング３６は、雌ネジ付の貫通穴４４を備え休止時に中心軸線４２を横断する球面継手４３を保持する。前記貫通穴は、休止時に同じ中心軸線４２に沿って延設されている。また、該前記球面継手は、２つの小さな管状部分４５、４６によって、休止時に中心軸線４２沿いに延長される。ネジ穴４４が該管状部分を横断し、また、該管状部分は、円錐開口部３９、４０を通して２つの外殻２２、２４から突出している。
【００３２】
球面継手４３の管状部分４５、４６は、円錐開口部３９、４０の内径よりも僅かに小さな外径を有しており、外殻２２から突出する管状部分４５は、反対側の管状部分４６よりも軸方向に僅かに長くなっている。外殻２３から突出する小さい管状部分４６は、マガジンの対応する中空部内に嵌合するようになっている。本例では円筒形の固定棒部材４７が、ネジ穴４４内に延在している。棒部材４７は、その一端に支持ヘッド４８が取付けられており、その他端４９にはネジが形成されている。棒部材４７のネジ付端部４９には、ネジが形成されたつまみホイールが螺着され、該つまみホイールは、また、内背面５１まで球面継手４３の管状部分４５に嵌合する。
【００３３】
端面５１が球面継手４３の管状部分４５に当接するまで、つまみホイール５０をネジ付棒部材４７に螺着すると、該つまみホイールは、ハンドルの外殻２２、２３を中心軸線４２沿いにヘッド４８へ向けて移動することによって前記棒部材を拘束し、かつ、後述するように、マガジン４を球面継手４３の管状部分４６に対して締付ける。
【００３４】
着脱自在のマガジン４もまた２つの外殻５２、５４から成る。該２つの外殻の間には、（業界で広く知られている標準的な方法で）装填端５４から締結具の帯が導入され、該締結具の帯は、次いで、マガジンの供給端から一回に１つずつ装置の射出筒１内へ移送され、こうして、該装置に締結具（本例では釘）が供給される。
【００３５】
マガジンの外殻５２には、球面継手４３の管状部分４６を受容するための中空部５６が設けられている。前記棒部材のヘッド４８は、マガジンの外殻５３の開口部に装着されるように形成されており、（つまみホイール５０および該つまみホイールを締付けることにる押圧作用のもとで）前記ヘッドは外殻５２に押圧され、こによってマガジン４をハンドル９に対して締付ける。
マガジン４は、後述するように、ハンドル９に装着される。
【００３６】
つまみネジ５０および棒部材４７が、前記ハンドルの端部３３に螺着されると、前記マガジンはハンドルの支持構造２５上に平坦に保持され、標準的な好ましい方法で、供給端５５が該装置のノーズ部３上に保持される。
【００３７】
マガジン４の装填端５４は、球面継手４３の管状部分４６をマガジンの外殻５２の中空部５６内に装着することによって、ハンドルの外殻２３の表面に平坦に保持される。次いで、棒部材４７がネジ穴４４内に挿入される前に、該棒部材は、そのヘッド４８がカラー５８の壁部５９に到達し、かつ、ネジ部４９が球面継手４３の管状部分４５から突出するまで、外殻５２のカラー５８を通してマガジンの外殻５３内に滑り入れられる。次いで、棒部材のヘッド４８をマガジンの外殻５２に対して締付けるために、つまみホイール５０が棒部材４７のネジ付端部４９に螺着される。こうして、つまみホイールが管状部分４５に装着され、マガジン４がハンドル９に対して、より正確には、球面継手４３の管状部分４６の端面に対して締付けられる。更に、つまみホイールは前記球面継手に固定することもできる。
【００３８】
環状ハウジング４１内には、圧縮性でかつ弾性のエラストマー材料から成る小さなスリーブ６０が配設されている。該スリーブは、また、休止時に中心軸線４２に沿って環状の周縁中空部６１内に部分的に収容され、球面継手４３に装着されている。こうして、スリーブは、球面継手に強固に固定され、また、球面継手の配向によっては圧縮を受けることもある。
【００３９】
マガジンの側部から突出した球面継手４３の管状部分４６は楔状に形成され、これによって、傾斜面６２が提供される。該傾斜面は、装置の軸線２に事実上平行で中心軸線４２を含んだ支持構造２５に垂直なハンドルの横断面（図４の平面）上で、時計回りの方向に傾斜している。その傾斜は、ハンドルの長手の平面（図５の平面）内で決定される。マガジンの外殻５２は、開口部５７に面６３が設けられるように対応した態様で形成され、該面は同じ態様で傾斜し、球面継手の傾斜面６２と協働して楔として作用する。２つの傾斜面６２、６３は、固定棒部材４７によって閉じられる。
【００４０】
点火の間の装置のノーズ部３の前進によって、或いは、装置の種々の部品の寸法によって、マガジン４の先端部分５５が装置の射出筒１およびノーズ部３に対して完全に保持されていなくとも、つまみホイール５０をネジ付棒部材４７へ締付けることによって、２つの傾斜面が互いに滑り、つまり、ハンドル９上でマガジン４が滑り、該マガジンがノーズ部の方へ移動し、マガジンが装置のノーズ部に対して正しく配置される。こうして、ハンドルの先端部分３３と、マガジンの装填端５４の相対位置が変化する。この摺動動作は、球面継手４３がハウジング３６内で回転でき、弾性の環状インサート６０を圧縮することによって、球面継手４３内に配置されている棒部材４７が、その中心軸線上の所定の点を中心として回動または揺動することによって可能となる。棒部材４７は、こうして、ハンドル９内の球面継手４３内に揺動自在に連結される。
【００４１】
球面継手４３の回転は、また、円錐開口部３９、４０によっても可能となる。円錐開口部は、球面継手が回転する間、管状部分４５、４６の回動を可能とする。
【００４２】
球面継手を圧縮性で弾性のスリーブ内に装着することによって得られる利点は、楔効果を緩和し、かつ、装置の組立、分解のために、球面継手をその休止位置へ復帰させる手段を提供する点である。
【００４３】
最後に、大容量の（従って、一層長い）ローダーの使用も考えられよう。この場合、ローダーの後方の固定点は、装填端にはなく、中間に配置された所定点にある。
【図面の簡単な説明】
【００４４】
【図１】本発明の装置および締結具供給マガジンの頂部を後方から見た分解斜視図である。
【図２】図１の装置およびマガジンの底部を前方から見た分解斜視図である。
【図３】本発明の装置のハンドルのケーシングおよび外殻を後方から見た分解斜視図である。
【図４】図１、２の装置のハンドルおよびマガジンの横断方向断面図である。
【図５】図１〜図４の装置のハンドルおよびマガジンの長手方向断面図である。
【符号の説明】
【００４５】
１    射出筒
２    軸線
３    ノーズ部
４    締結具供給マガジン
５    ケーシング
６    換気ブロック
７    外殻（ハンドル）
８    外殻（ハンドル）
９    ハンドル
２２    外殻（ハンドル）
２３    外殻（ハンドル）
３６    球状ハウジング
３９    円錐開口部
４０    円錐開口部
４２    中心軸線
４３    球面継手
４５    管状部分（球面継手）
４６    管状部分（球面継手）
４７    固定棒部材
５０    つまみホイール
５２    外殻（マガジン）
５３    外殻（マガジン）
５４    装填端（マガジン）
５５    供給端（マガジン）
６０    スリーブ
６２    傾斜面（球面継手）
６３    傾斜面（マガジン）
【図１】
2008501537.tif 000003
【図２】
2008501537.tif 000004
【図３】
2008501537.tif 000005
【図４】
2008501537.tif 000006
【図５】
2008501537.tif 000007
【国際調査報告】
2008501537.tif 000008
2008501537.tif 000009
2008501537.tif 000010